(57)【要約】【課題】従来の屋根板取り付け金具とは異なる構成の屋根板取り付け金具を提供する。【解決手段】固定部材と可動部材と押し込み部材とを組み合わせて構成された屋根板取り付け金具であり、固定部材には、可動部材を載せるための受け面が形成され、また、可動部材には、一端に挟持片が、他端にアームが形成されており、アームは上方向に伸びる爪部を有している。押し込み部材には、左右に押圧部が形成されている。前記の固定部材の受け面に可動部材を向き合わせて、アームが互い違いに組み合わせられるように載せ、向かい合っている爪部と爪部の間の上方に押し込み部材の押圧部が位置するように、押し込み部材を固定部材にスライド機構を介して連結する。このような構成の屋根板取り付け金具を用いる。【選択図】        図５
2004225369.tif 000002
【特許請求の範囲】
【請求項１】
固定部材には、受け面が形成されており、
可動部材には、挟持片とアームとが形成されており、
該アームは上方向に伸びる爪部を有しており、
押し込み部材には、左右に押圧部が形成されており、
固定部材の受け面に可動部材が向き合わせられて、
アームが互い違いに組み合わせられるように載せられており、
向かい合っている爪部と爪部の間の上方に
押し込み部材の押圧部が位置するように、
押し込み部材が固定部材にスライド機構を介して連結されている
屋根板取り付け金具。
【請求項２】
屋根板は、面板部の両端に折り下げられているハゼ部分が形成されており、該ハゼ部分は、面板部から、円弧を描いて突出している凸部が形成され、さらに内側に膨出するように形成された凹部が連続しており、
このような形状の屋根板を取り付けるための屋根板取り付け金具において、
固定部材には、左右に脚部が形成され、左右の脚部は受け面によって連結されており、
可動部材には、底面の一端から立ち上げられて立面が形成されており、立面の上端が内側方向へ略直角に折り曲げられて挟持片が形成されており、底面の他端からはアームが延出しており、該アームは上方向に伸びる爪部を有しており、
押し込み部材には、上面の左右辺から押圧部が形成されており、
固定部材の受け面に可動部材が向き合わせられて、
アームが互い違いに組み合わせられるように載せられており、
向かい合っている爪部と爪部の間の上方に
押し込み部材の押圧部が位置するように、
押し込み部材が固定部材にスライド機構を介して連結されており、
前記挟持片と爪部との間に屋根板のハゼ部分を差し込み、
前記スライド機構によって、
押し込み部材を下方にスライドさせることで、
押し込み部材の押圧部が可動部材の爪部間に押し込められ、
押圧部が爪部を押すことで可動部材が移動させられ、
相対する可動部材の挟持片が、屋根板の凸部を挟み込み、
爪部が屋根板の凹部を押圧する
屋根板取り付け金具。
【請求項３】
屋根板は、面板部の両端に立ち上げられているハゼ部分が形成されているが、該ハゼ部分には、面板部の両端が一段高くなって、円弧を描いて裏側に折り返している係合部が形成されており、係合部から外側に折り返してから立ち上げられ、立面部が形成されており、
このような形状の屋根板を取り付けるための屋根板取り付け金具において、
固定部材には、受け面が形成されており、
可動部材には、底面の一端から上側へ折り返して挟持片が形成されており、底面の他端からは、アームが延出しており、該アームは上方向に伸びる爪部を有しており、
押し込み部材には、上面の左右辺から押圧部が形成されており、
固定部材の受け面に可動部材が向き合わせられて、
アームが互い違いに組み合わせられるように載せられており、
向かい合っている爪部と爪部の間の上方に
押し込み部材の押圧部が位置するように、
押し込み部材が固定部材にスライド機構を介して連結されており、
前記挟持片と爪部との間に屋根板のハゼ部分を差し込み、
前記スライド機構によって、
押し込み部材を下方にスライドさせることで、
押し込み部材の押圧部が可動部材の爪部間に押し込められ、
押圧部が爪部を押すことで可動部材が移動させられ、
相対する可動部材の挟持片が、屋根板の係合部を挟み込み、
爪部が屋根板の立面部を押圧する
屋根板取り付け金具。
【請求項４】
屋根板の左右には、折り下げられているハゼ部分が形成されており、該ハゼ部分は、面板部から裏側に折り返されて形成された凸部と、凸部から下方に折り下げられた後、上方に折り曲げられて形成された溝部とを有しており、
このような形状の屋根板を取り付けるための屋根板取り付け金具において、
固定部材には、左右に脚部が形成され、左右の脚部は受け面によって連結されており、
可動部材には、底面の一端から立ち上げられて立面が形成されており、立面の上端が内側方向へ略直角に折り曲げられて挟持片が形成されており、底面の他端からはアームが延出しており、該アームは上方向に伸びる爪部を有しており、
押し込み部材には、上面の左右辺から押圧部が形成されており、
押圧部の先端が下方に折り曲げられて押さえ片が形成されており、
固定部材の受け面に可動部材が向き合わせられて、
アームが互い違いに組み合わせられるように載せられており、
向かい合っている爪部と爪部の間の上方に
押し込み部材の押圧部が位置するように、
押し込み部材が固定部材にスライド機構を介して連結されており、
前記挟持片と爪部との間に屋根板のハゼ部分を差し込み、
前記スライド機構によって、
押し込み部材を下方にスライドさせることで、
押し込み部材の押圧部が可動部材の爪部間に押し込められ、
押圧部が爪部を押すことで可動部材が移動させられ、
相対する可動部材の挟持片が、屋根板の凸部を挟み込み、
押し込み部材の押さえ片が屋根板の溝部を上から押さえ込む
屋根板取り付け金具。
【発明の詳細な説明】
【０００１】
【発明の属する技術分野】
本発明は、屋根板を取り付けるための屋根板取り付け金具に関するものである。
【０００２】
【従来の技術】
従来の技術について、図２１に基づいて説明する（特許文献１参照）。これは、特許第３０４２７５４号公報に示されている屋根板取り付け金具である。
樋状支持材３の中に挿入された係合金具３１の上に屋根板を配置し、屋根板端部に形成されたＶ字状端部３２を、上から押さえ具３３にて押さえ込む仕組みである。このときボルト３４にて押さえ具３３を係合金具３１にはめ込むことで、屋根板のＶ字状端部３２を押さえ具３３にて押さえ込むものである。
【０００３】
図２２は他の従来の技術を表している（特許文献２参照）。これは意匠登録第１１２１６２８号公報に示されている屋根板取り付け金具である。
この屋根板取り付け金具の仕組みも、押さえ具３３にて屋根板のＶ字状端部３２を押さえ込むものである。
この屋根板は、屋根板端部に形成されたＶ字状端部３２が、屋根板面板部の内側に折り返されて形成されている。
このため、押さえ具３３にて屋根板のＶ字状端部３２を押さえ込むために、まず係合金具３１に押さえ具３３を配置した後に、屋根板をかぶせ、ナット３５をしめることで押さえ具３３が下がり、屋根板のＶ字状端部３２を押さえ込むようになっている。
【０００４】
図２３はさらに他の従来の技術を表している（特許文献３参照）。これは意匠登録第１１２１６１８号公報に示されている屋根板取り付け金具である。
これは、屋根板のＶ字状端部３２が、屋根板両端を下側に折り返して、横Ｖ字形に形成されており、このＶ字状端部３２を押さえ具３３にて挟み込む形で押さえるものである。
まず押さえ具３３を配置し、その上に屋根板をかぶせ、押さえ具３３の中央に止着具Ｓをねじ込んでいくことで、押さえ具３３がＶ字状端部３２を挟み込む仕組みである。
【０００５】
図２４はさらに他の従来の技術を表している（特許文献４参照）。これは特公平８−１９７３８号公報に示されている屋根板取り付け金具である。
これも、屋根板のＶ字状端部３２が、屋根板両端を下側に折り返したのち内側斜め上方に折曲して形成されている。
この屋根板取り付け金具は、固定部材１１と可動部材１２とキャップＫからなっている。
固定部材１１の左右端には、固定面１１ａが形成されており、下地に固定できるようになっている。そして、固定面１１ａの内側の端から立ち上がった後、内側方向へ略直角に折り曲げられ、さらに下方に折り下げられて、下向きに開口する略コの字形の脚部１１ｂが形成されている。左右の脚部１１ｂは受け面１１ｃによって連結されており、この受け面１１ｃは、固定面１１ａよりもやや高い位置に形成されている。受け面１１ｃの両端には、摺動保持部１１ｙが形成されている。
また、可動部材には、挟持片１２ｃと爪部１２ｅとが立設されている。挟持片１２ｃと爪部１２ｅには、それぞれ上端に凸部が形成されており、それらは向き合って突出している。
そして、キャップＫには、キャップ面中央部分から下方に伸びる支柱が形成されている。その支柱の下位部分に、左右に突出するキャップ凸部Ｋ１が形成されており、支柱の中間部分に、シール部Ｋ２が形成されている。
前記の固定部材１１の受け面１１ｃに可動部材１２を載せ、可動部材１２の端部を摺動保持部１１ｙに差し込む。そして、屋根板のＶ字状端部３２を挟持片１２ｃにかぶせ、向かい合っている爪部１２ｅと爪部１２ｅの間の上方にキャップＫのキャップ凸部Ｋ１を押し込む。
すると、可動部材１２の爪部１２ｅがキャップＫのキャップ凸部Ｋ１に押されて移動し、挟持片１２ｃの上端の凸部に屋根板のＶ字状端部３２が引っかかり、爪部１２ｅの上端の凸部にキャップ凸部Ｋ１が引っかかり、シール部Ｋ２が左右の屋根板間に挟まれる。
このように、固定部材１１と可動部材１２とキャップＫを組み合わせて形成されている屋根板取り付け金具である。
【０００６】
【特許文献１】
特許第３０４２７５４号公報（図１２、図１３）
【特許文献２】
意匠登録第１１２１６２８号公報（使用状態を示す参考図）
【特許文献３】
意匠登録第１１２１６１８号公報（使用状態を示す参考図）
【特許文献４】
特公平８−１９７３８号公報（図６、図７）
【０００７】
【発明が解決しようとする課題】
前述のように、屋根板取り付け金具は各種開発されている。本発明は、さらに異なる構成の屋根板取り付け金具を提供するものである。
【０００８】
【課題を解決するための手段】
固定部材には、可動部材を載せるための受け面が形成されている。
また、可動部材には、一端に挟持片が、他端にアームが形成されており、アームは上方向に伸びる爪部を有している。
そして、押し込み部材には、左右に押圧部が形成されている。
前記の固定部材の受け面に可動部材を向き合わせて、アームが互い違いに組み合わせられるように載せ、向かい合っている爪部と爪部の間の上方に押し込み部材の押圧部が位置するように、押し込み部材を固定部材にスライド機構を介して連結する。
このようにして、固定部材と可動部材と押し込み部材を組み合わせて形成されている屋根板取り付け金具が請求項１に記載した屋根板取り付け金具である。
【０００９】
請求項２に記載した屋根板取り付け金具について説明すると、屋根板は、面板部の両端に折り下げられているハゼ部分が形成されており、該ハゼ部分は、面板部から、円弧を描いて突出している凸部が形成され、さらに内側に膨出するように形成された凹部が連続している。このような形状の屋根板を取り付けるための屋根板取り付け金具である。
固定部材には、左右に脚部が形成され、左右の脚部は受け面によって連結されている。
可動部材には、底面の一端から立ち上げられて立面が形成されており、立面の上端が内側方向へ略直角に折り曲げられて挟持片が形成されている。また、底面の他端からはアームが延出しており、該アームは上方向に伸びる爪部を有している。
押し込み部材には、上面の左右辺から押圧部が形成されている。
そして、固定部材の受け面に可動部材が向き合わせられて、アームが互い違いに組み合わせられるように載せられている。
向かい合っている爪部と爪部の間の上方に押し込み部材の押圧部が位置するように、押し込み部材が固定部材にスライド機構を介して連結されている。
前記挟持片と爪部との間に屋根板のハゼ部分を差し込み、前記スライド機構によって、押し込み部材を下方にスライドさせることで、押し込み部材の押圧部が可動部材の爪部間に押し込められ、押圧部が爪部を押すことで可動部材が移動させられ、相対する可動部材の挟持片が、屋根板の凸部を挟み込み、爪部が屋根板の凹部を押圧する屋根板取り付け金具である。
【００１０】
請求項３に記載した屋根板取り付け金具について説明すると、屋根板は、面板部の両端に立ち上げられているハゼ部分が形成されているが、該ハゼ部分には、面板部の両端が一段高くなって、円弧を描いて裏側に折り返している係合部が形成されており、係合部から外側に折り返してから立ち上げられ、立面部が形成されておいる。このような形状の屋根板を取り付けるための屋根板取り付け金具である。
固定部材には、受け面が形成されており、可動部材には、底面の一端から上側へ折り返して挟持片が形成されており、底面の他端からは、アームが延出しており、該アームは上方向に伸びる爪部を有している。
押し込み部材には、上面の左右辺から押圧部が形成されている。
そして、固定部材の受け面に可動部材が向き合わせられて、アームが互い違いに組み合わせられるように載せられており、向かい合っている爪部と爪部の間の上方に押し込み部材の押圧部が位置するように、押し込み部材が固定部材にスライド機構を介して連結されている。
前記挟持片と爪部との間に屋根板のハゼ部分を差し込み、前記スライド機構によって、押し込み部材を下方にスライドさせることで、押し込み部材の押圧部が可動部材の爪部間に押し込められ、押圧部が爪部を押すことで可動部材が移動させられる。相対する可動部材の挟持片が、屋根板の係合部を挟み込み、爪部が屋根板の立面部を押圧する屋根板取り付け金具である
【００１１】
請求項４に記載した屋根板取り付け金具について説明すると、屋根板の左右には、折り下げられているハゼ部分が形成されている。該ハゼ部分は、面板部から裏側に折り返されて形成された凸部と、凸部から下方に折り下げられた後、上方に折り曲げられて形成された溝部とを有している。このような形状の屋根板を取り付けるための屋根板取り付け金具である。
固定部材には、左右に脚部が形成され、左右の脚部は受け面によって連結されている。
可動部材には、底面の一端から立ち上げられて立面が形成されており、立面の上端が内側方向へ略直角に折り曲げられて挟持片が形成されている。底面の他端からはアームが延出しており、該アームは上方向に伸びる爪部を有している。
押し込み部材には、上面の左右辺から押圧部が形成されており、押圧部の先端が下方に折り曲げられて押さえ片が形成されている。
固定部材の受け面に可動部材が向き合わせられて、アームが互い違いに組み合わせられるように載せられており、向かい合っている爪部と爪部の間の上方に押し込み部材の押圧部が位置するように、押し込み部材が固定部材にスライド機構を介して連結されている。
そして、前記挟持片と爪部との間に屋根板のハゼ部分を差し込み、前記スライド機構によって、押し込み部材を下方にスライドさせることで、押し込み部材の押圧部が可動部材の爪部間に押し込められ、押圧部が爪部を押すことで可動部材が移動させられ、相対する可動部材の挟持片が、屋根板の凸部を挟み込み、押し込み部材の押さえ片が屋根板の溝部を上から押さえ込む屋根板取り付け金具である。
【００１２】
【作用】
請求項１〜３に記載した屋根板取り付け金具の作用について説明すると、まず、上記のように組み合わせられた屋根板取り付け金具を下地に固定する。
そして、屋根板取り付け金具の左右から屋根板を配置したら、押し込み部材をスライド機構によって下方にスライドさせて押し込む。
そうすると、押し込み部材の押圧部が可動部材の爪部間に押し込められながら下がるため、爪部が押圧部に押されて、可動部材が移動させられる。
左右の可動部材がそのように移動するため、屋根板が挟持片と爪部で挟まれて取り付けられるものである。
【００１３】
請求項４に記載した屋根板取り付け金具の作用について説明すると、まず、上記のように組み合わせられた屋根板取り付け金具を下地に固定する。
そして、屋根板取り付け金具の左右から屋根板を配置し、挟持片と爪部との間に屋根板のハゼ部分を差し込み、押し込み部材をスライド機構によって下方にスライドさせて押し込む。
そうすると、押し込み部材の押圧部が可動部材の爪部に沿いながら下がるため、爪部が押圧部に押されて、可動部材が移動させられる。
左右の可動部材がそのように移動するため、相対する可動部材の挟持片が、屋根板の凸部を挟み込み、押し込み部材の押さえ片が屋根板の溝部を上から押さえ込んで、屋根板を取り付けることができるものである。
【００１４】
【発明の実施の形態】
本発明にかかる屋根板取り付け金具の実施の形態について、以下に説明する。
（実施の形態１）本発明の第一実施例について図１から図７に基づき説明する。図１と図２は屋根板取り付け金具１の斜視図、図３は屋根板取り付け金具１の分解斜視図、図４と図５は屋根板取り付け金具１の説明図である。この屋根板取り付け金具１は、図６に示したような屋根板２を取り付けるために用いる。図７は、図６の屋根板を使用して立てハゼ式屋根を形成した様子を表している。
【００１５】
まず屋根板２について説明する。
この屋根板２は、金属製で、面板部２ａの両端に立てハゼ部Ｃが形成されているが、その立てハゼ部Ｃは、面板部２ａから、円弧を描いて突出している凸部２ｂが形成されており、さらに内側に膨出するように形成された凹部２ｃが連続し、凹部２ｃから上方に立ち上げられた立面部２ｄと立面部２ｄの先端を内側に折り返した折り返し部２ｅとが形成されている。
【００１６】
この屋根板２は、図７のように吊り子Ｔを介して固定し、キャップＫをかぶせて立てハゼ式屋根を形成することができるものである。
また裏返して使用することでフラットタイプの屋根を形成することができるが、その際、屋根板２を取りつけるために、本発明にかかる屋根板取り付け金具を用いることができる。
【００１７】
さて、屋根板取り付け金具１について説明すると、図３に見られるように、屋根板取り付け金具１は、固定部材１１と可動部材１２と押し込み部材１３を組み合わせて形成されている。
【００１８】
固定部材１１の左右端には、固定面１１ａが形成されており、下地Ｂに固定できるようになっている。そして、固定面１１ａの内側の端から立ち上がった後、内側方向へ略直角に折り曲げられ、さらに下方に折り下げられて、下向きに開口する略コの字形の脚部１１ｂが形成されている。左右の脚部１１ｂは受け面１１ｃによって連結されており、この受け面１１ｃは、固定面１１ａよりもやや高い位置に形成されている。
そして受け面１１ｃの中央に支柱１１ｄが設けられている。本実施例においては、この支柱１１ｄはカシメボルトで形成され、受け面１１ｃに固定されている。
支柱１１ｄは受け面１１ｃに固定されていればよいので、カシメボルトのほかに、溶接等の手段も考えられる。
【００１９】
可動部材１２は、同じ部材を二つ向き合わせて組み合わせている。
底面１２ａの外側の端から略直角に立ち上げられて立面１２ｂが形成されており、立面１２ｂの上端が内側方向へ略直角に折り曲げられて挟持片１２ｃが形成されている。
底面１２ａの内側の端からは、アーム１２ｄが２本延出しており、アーム１２ｄとアーム１２ｄの間は、少なくとも、相対して組み合わせる可動部材１２のアーム１２ｄが入る幅を有している。
アーム１２ｄの形状は板状で、底面１２ａから水平に延び出たのち、斜め上方に折り曲げられた爪部１２ｅを有している。この実施例の爪部１２ｅの先端は、屋根板２の凹部２ｃの一部分にやや沿う角度に傾斜させられている。
【００２０】
押し込み部材１３は、長方形の上面１３ａの左右辺から折り下げた後、斜め上方に折り曲げられて、略Ｖ字形の押圧部１３ｂが形成されており、また、上面１３ａの残りの二辺からは、キャップをはめることができる形状のキャップ止め１３ｃが立ち上げられて形成されている。
略Ｖ字形の押圧部１３ｂの斜め上方に折り曲げられている面の角度は、可動部材１２の爪部１２ｅの先端の傾斜している部分に沿う角度である。
上面１３ａには支柱１１ｄを通すことができる穴があけられており、そこにストッパー１３ｄが設けられているが、本実施例ではカシメナットがストッパー１３ｄとして取り付けられている。
【００２１】
このように構成された固定部材１１と可動部材１２と押し込み部材１３を組み合わせるが、まず、固定部材１１の受け面１１ｃに可動部材１２を向き合わせて載せる。
このとき、アーム１２ｄとアーム１２ｄの間に相対する可動部材１２のアーム１２ｄが位置するように向き合わせる。可動部材１２の立面１２ｂは、固定部材１１の脚部１１ｂに接するように位置させるとよい。
アーム１２ｄの長さは、支柱１１ｄよりも先まで伸びており、受け面１１ｃの上に可動部材１２を載せたときに、支柱１１ｄを中心にアーム１２ｄが互い違いに組み合わせられる。
その後、押し込み部材１３の上面１３ａに設けられた穴に固定部材１１の支柱１１ｄを通し、ストッパー１３ｄで軽く止める。この実施例においては、支柱１１ｄはカシメボルトで、ストッパー１３ｄはカシメナットで形成されているので、カシメボルトの上部にカシメナットを差し込んで、軽くナットを締めることで、可動部材１２の上から押し込み部材１３を取り付けることができる。
【００２２】
このように組み合わせられた状態を表しているのが、図１である。左右から伸びてきているアーム１２ｄが支柱１１ｄを中心に互い違いに位置し、左右の爪部１２ｅ間に、押し込み部材１３の押圧部１３ｂが軽く接するように載って固定されている。
この状態で、カシメナットで形成されているストッパー１３ｄを、カシメボルトで形成されている支柱１１ｄに、ボルト締めしてくと、押し込み部材１３が下がり、図２に示された状態になる。
本実施例では、このカシメナットで形成されているストッパー１３ｄと、カシメボルトで形成されている支柱１１ｄによって、スライド機構が構成されている。
【００２３】
このような構成の屋根板取り付け金具１を用いて屋根板２を取り付ける様子を以下に説明する。
図４に見られるように、下地Ｂに樋部材Ａを配置し、樋部材Ａをまたいで屋根板取り付け金具１を配置するが、固定部材１１の脚部１１ｂ内に樋部材Ａの側壁が収まるように配置する。そして、止着具Ｓを用いて、固定面１１ａを下地Ｂに固定する。この止着具Ｓは、下地の材質に応じたものを使用することが望ましく、木下地の場合は釘やビス等、鉄骨の場合はタッピンネジ等、コンクリート下地の場合はアンカー等が考えられる。
その後、屋根板取り付け金具１の可動部材１２の挟持片１２ｃと爪部１２ｅの間に、屋根板２の立てハゼ部Ｃを差し込みながら、屋根板２を配置する。
屋根板取り付け金具１の左右から屋根板２を配置したら、押し込み部材１３を下方にスライドさせる。本実施例においては、カシメナットで形成されているストッパー１３ｄを、カシメボルトで形成されている支柱１１ｄに、ボルト締めしていくことで、押し込み部材１３を下方にスライドさせることができる。
そうすると、押し込み部材１３の押圧部１３ｂが可動部材１２の爪部１２ｅに沿いながら下がるため、爪部１２ｅが押圧部１３ｂに押され、可動部材１２が移動する。つまり、爪部１２ｅが外側方向に移動し、同時に挟持片１２ｃは内側に移動する。
左右の可動部材１２がそのように移動するため、屋根板２の凸部２ｂに可動部材１２の挟持片１２ｃが、屋根板２の凹部２ｃに可動部材１２の爪部１２ｅが、それぞれ押しつけられる。
押し込み部材１３を押し込むと、図５のように、屋根板２の立てハゼ部Ｃが挟持片１２ｃと爪部１２ｅで挟まれて固定される。
本実施例においては、凸部２ｂに挟持片１２ｃが入り込み、凹部２ｃを爪部１２ｅが押圧するときに、図５に見られるように、爪部１２ｅの先端よりも内側に挟持片１２ｃの先端が位置する長さに設計してある。このように屋根板取り付け金具１を設計すると、挟持片１２ｃと爪部１２ｅとで、立てハゼ部Ｃを強固に噛み合わせて固定することができる。
その後キャップＫをキャップ止め１３ｃにはめる。
【００２４】
このように本発明にかかる第一実施例は、屋根板の立てハゼ部に形成された凹部や凸部に合わせて、可動部材の爪部と挟持片の形状や位置を設計することで、立てハゼ式屋根に用いる屋根板を裏返して使用して、フラットタイプの屋根を形成するときに用いることができるものである。
この屋根板取り付け金具を用意しておくことで、立てハゼ式屋根に使う屋根板を、フラットタイプの屋根を葺くときにも用いることができるので、屋根板のコストダウンにつながるという利点がある。
【００２５】
（実施の形態２）本発明の第二実施例について、図８〜図１１に基づいて説明する。図８は屋根板取り付け金具１の斜視図、図９は可動部材１２の斜視図、図１０と図１１は使用状態の説明図である。
この第二実施例の屋根板取り付け金具１は、前述の第一実施例の屋根板取り付け金具１と基本的に同じ構成であるが、可動部材に付加的な構成を設けることで、可動部材の負圧に対する強度を増す点が異なっている。その相違する点について詳述する。
【００２６】
この可動部材１２は、前述の第一実施例に記載した可動部材１２の構成に加え、立面１２ｂから底面１２ａにかけて、縁部分に略Ｌ字形の面の連結片１２ｆが形成されている。立面１２ｂの左右に連結片１２ｆは設けられている。
【００２７】
連結片１２ｆの幅の中程に溝ｍが縦に設けられているが、図１０に見られるように、固定部材１１の脚部１１ｂの一方の面の端を、立面１２ｂと溝ｍとで挟むことができるよう、脚部１１ｂの板の厚さに合わせて設けられている。
溝ｍの深さは、可動部材１２を移動させることができるように、押し込み部材１３が爪部１２ｅを押す力で、溝ｍが脚部１１ｂの面の端からはずれる深さに設定しておく。
【００２８】
また、可動部材１２の挟持片１２ｃ、立面１２ｂ、底面１２ａにかけて、帯状の凹部が形成されて、リブＲとなっている。
【００２９】
以上の点が、第一実施例と異なる点であり、その他の点においては、第一実施例と同一の構成である。
そして、固定部材１１、可動部材１２、押し込み部材１３を組み合わせていくときに、固定部材１１の脚部１１ｂの一方の面を、可動部材１２の立面１２ｂの左右に設けられた連結片１２ｆで挟み、立面１２ｂと連結片１２ｆの溝ｍとで支える点が、第一実施例と異なる点である。
【００３０】
このように連結片１２ｆを設けて、固定部材１１の脚部１１ｂの一方の面を挟むことで、可動部材１２を固定部材１１に仮止めしておけるという利点がある。
可動部材１２を固定部材１１に仮止めしない場合は、搬送中に可動部材１２が移動してしまい、これを施工するとき、可動部材１２を一つ一つ適切な位置に戻す必要がある。一方、可動部材１２を固定部材１１に仮止めして、屋根板取り付け金具１を現場に搬送した場合、搬送中に可動部材１２が移動してしまうことがないので、施工時の手間を省くことができるものである。
また、施工時に、押し込み部材１３を下方にスライドさせ、可動部材１２が押し込み部材１３によって移動させられたとき、連結片１２ｆの溝ｍは脚部１１ｂの面の端からはずれ、図１１のように、連結片１２ｆは可動部材１２が移動する際のガイドの働きをするという利点もある。
【００３１】
この連結片１２ｆは、さらに重要な作用として、可動部材の負圧に対する強度を増す作用がある。
施工後の屋根板２に負圧がかかると、可動部材１２の挟持片１２ｃの先端が、屋根板２によって上方に引っ張られ、立面１２ｂ上部が後方に押され、可動部材の底面１２ａと立面１２ｂとで形成されるＬ字形の形状を変形させる力が働く。
しかし、本実施例は、可動部材１２の立面１２ｂから底面１２ａにかけて、縁部分に略Ｌ字形の面の連結片１２ｆが形成されているので、可動部材１２の底面１２ａと立面１２ｂとで形成されるＬ字形の形状の変形を、連結片１２ｆによって防ぐことができるという効果がある。
【００３２】
それに加え、可動部材１２の挟持片１２ｃ、立面１２ｂ、底面１２ａにかけて、帯状の凹部が形成されて、リブＲとなっているので、上述の負圧による変形に対し、一層強度があるものである。
【００３３】
このように、この第二実施例は、前述の第一実施例に記載した可動部材１２に、連結片１２ｆとリブＲを加えることで、可動部材の負圧に対する強度を増したものである。
【００３４】
（実施の形態３）本発明の第三実施例について、図１２〜図１６に基づいて説明する。この実施例は、瓦棒タイプの屋根を構成する屋根板を取り付けるための屋根板取り付け金具１に関するものである。図１２は屋根板取り付け金具１の分解斜視図、図１３は用いる屋根板の説明図、図１４〜図１６は使用状態の説明図である。
【００３５】
まず屋根板２について説明する。この屋根板２は、金属製で、面板部２ａの両端に立てハゼ部Ｃが形成されている。
屋根板の面板部２ａは両端が一段高くなって、円弧を描いて裏側に折り返している係合部２ｋが形成されている。この係合部２ｋは後述する屋根板取り付け金具１の挟持片１２ｃが係止するものなので、挟持片１２ｃがはまりこむ形状に形成されている。
その後、外側に折り返してから斜め上方に立ち上げられ、立面部２ｄが形成されており、さらに内側に膨出するように形成された凹部２ｃが連続し、凹部２ｃから斜め外側上方に立ち上げられたキャップ支持片２ｇと、その先端を内側に折り返した折り返し部２ｅとが形成されている。
【００３６】
さて、屋根板取り付け金具１について説明すると、図１２に見られるように、屋根板取り付け金具１は、固定部材１１と可動部材１２と押し込み部材１３を組み合わせて形成されている。
【００３７】
固定部材１１の左右端には、固定面１１ａが形成されており、下地Ｂに固定できるようになっている。左右の固定面１１ａは受け面１１ｃによって連結されており、この受け面１１ｃは、固定面１１ａよりもやや高い位置に形成されている。
そして受け面１１ｃの中央に支柱１１ｄが設けられている。第一実施例と同様に、この支柱１１ｄはカシメボルトで形成され、受け面１１ｃに固定されている。
支柱１１ｄは受け面１１ｃに固定されていればよいので、カシメボルトのほかに、溶接等の手段も考えられる。
【００３８】
可動部材１２は、同じ部材を二つ向き合わせて組み合わせている。
底面１２ａの外側の端から上側へ折り返して挟持片１２ｃが形成されている。
底面１２ａの内側の端からは、アーム１２ｄが２本延出しており、アーム１２ｄとアーム１２ｄの間は、少なくとも、相対して組み合わせる可動部材１２のアーム１２ｄが入る幅を有している。
アーム１２ｄの形状は板状で、底面１２ａから水平に延び出たのち、斜め上方に折り曲げられた爪部１２ｅが形成されている。この実施例の爪部１２ｅの先端は、屋根板２の凹部２ｃの一部分にやや沿う角度に傾斜されている。
【００３９】
押し込み部材１３は、長方形の上面１３ａの左右辺から折り下げた後、斜め上方に折り曲げられて、略Ｖ字形の押圧部１３ｂが形成されている。
上面１３ａには支柱１１ｄを通すことができる穴があけられており、そこにストッパー１３ｄが設けられているが、本実施例でもカシメナットがストッパー１３ｄとして取り付けられている。
【００４０】
このように構成された固定部材１１と可動部材１２と押し込み部材１３を組み合わせるが、まず、固定部材１１の受け面１１ｃに可動部材１２を向き合わせて載せる。
このとき、アーム１２ｄとアーム１２ｄの間に相対する可動部材１２のアーム１２ｄが位置するように向き合わせる。アーム１２ｄの長さは、支柱１１ｄよりも先まで伸びており、受け面１１ｃの上に可動部材１２を載せたときに、支柱１１ｄを中心にアーム１２ｄが互い違いに組み合わせられる。
その後、押し込み部材１３の上面１３ａに設けられた穴に固定部材１１の支柱１１ｄを通し、ストッパー１３ｄで軽く止める。この実施例においては、支柱１１ｄはカシメボルトで、ストッパー１３ｄはカシメナットで形成されているので、カシメボルトの上部にカシメナットを差し込んで、軽くナットを締めることで、可動部材１２の上から押し込み部材１３を取り付けることができる。
【００４１】
このように組み合わせられた状態を表しているのが、図１４である。左右から伸びてきているアーム１２ｄが支柱１１ｄを中心に互い違いに位置し、左右の爪部１２ｅ間に、押し込み部材１３の押圧部１３ｂが軽く接するように載って固定されている。
この状態で、カシメナットで形成されているストッパー１３ｄを、カシメボルトで形成されている支柱１１ｄに、ボルト締めしてくと、押し込み部材１３が下がり、図１５に示された状態になる。
本実施例も第一実施例と同様に、このカシメナットで形成されているストッパー１３ｄと、カシメボルトで形成されている支柱１１ｄによって、スライド機構が構成されている。
【００４２】
このような構成の屋根板取り付け金具１を用いて屋根板２を取り付ける様子を以下に説明する。
図１４に見られるように、下地Ｂに屋根板取り付け金具１を配置し、止着具Ｓを用いて、固定面１１ａを下地Ｂに固定する。この止着具Ｓは、下地の材質に応じたものを使用することが望ましく、木下地の場合は釘やビス等、鉄骨の場合はタッピンネジ等、コンクリート下地の場合はアンカー等が考えられる。
その後、屋根板取り付け金具１の可動部材１２の挟持片１２ｃと爪部１２ｅの間に、屋根板２の立てハゼ部Ｃを差し込みながら、屋根板２を配置する。このとき、屋根板２の係合部２ｋが屋根板取り付け金具１の挟持片１２ｃと向かい合うように位置させる。
屋根板取り付け金具１の左右から屋根板２を配置したら、押し込み部材１３を下方にスライドさせる。本実施例においては、カシメナットで形成されているストッパー１３ｄを、カシメボルトで形成されている支柱１１ｄに、ボルト締めしていくことで、押し込み部材１３を下方にスライドさせることができる。
そうすると、押し込み部材１３の押圧部１３ｂが可動部材１２の爪部１２ｅに沿いながら下がるため、爪部１２ｅが押圧部１３ｂに押され、可動部材１２が移動する。つまり、爪部１２ｅが外側方向に移動し、同時に挟持片１２ｃは内側に移動する。
左右の可動部材１２がそのように移動するため、屋根板２の係合部２ｋに可動部材１２の挟持片１２ｃがはまりこみ、屋根板２の立面部２ｄｃに可動部材１２の爪部１２ｅが押しつけられる。
押し込み部材１３を押し込むと、図１５のように、係合部２ｋに挟持片１２ｃが入り込み、立面部２ｄを爪部１２ｅが押圧することで、屋根板２の立てハゼ部Ｃが挟持片１２ｃと爪部１２ｅで挟まれて固定される。
本実施例においては、係合部２ｋに挟持片１２ｃが入り込み、立面部２ｄを爪部１２ｅが押圧するときに、図１５に見られるように、爪部１２ｅの先端よりも内側に挟持片１２ｃの先端が位置する長さに設計してある。このように屋根板取り付け金具１を設計すると、挟持片１２ｃと爪部１２ｅとで、立てハゼ部Ｃを強固に噛み合わせて固定することができる。
その後、図１６に示したように、キャップＫをキャップ支持片２ｇの上からはめる。キャップＫの端部が屋根板２の凹部２ｃに引っかかって嵌り、キャップ支持片２ｇがキャップＫを内側から支持する構成である。
【００４３】
本発明にかかる屋根板取り付け金具は、このような実施形態に構成することで、瓦棒タイプの屋根を構成する屋根板を取り付けることができる。
カシメナットで形成されているストッパー１３ｄと、カシメボルトで形成されている支柱１１ｄから成るスライド機構をもって、押し込み部材１３が固定部材１１に連結されており、押し込み部材１３を下方にスライドさせることで、屋根板の係合部２ｋに挟持片１２ｃが入り込み、立面部２ｄを爪部１２ｅが押圧し、屋根板２の立てハゼ部Ｃが挟持片１２ｃと爪部１２ｅで挟まれて固定されるものである。
立面部２ｄを爪部１２ｅが押圧しているが、図１６に見られるように、屋根板の立面部２ｄの上に連続している凹部２ｃの形状に沿うように、爪部１２ｅの上部が傾斜して形成されており、また、爪部１２ｅを押圧部１３ｂが圧迫している。
このため、負圧がかかったとき、立てハゼ部Ｃには支柱１１ｄ側へ傾斜する力が働くが、立面部２ｄを爪部１２ｅが押圧し、爪部１２ｅの上部分が屋根板を押さえ込み、該爪部１２ｅを押圧部１３ｂが押さえ込むので、立てハゼ部Ｃを支柱１１ｄ側へ傾斜させる力に抵抗する構成である。
また、挟持片１２ｃが底面１２ａの一方の外側の端から上側へ折り返して形成され、屋根板の係合部２ｋは面板部２ａの端部、つまり、立てハゼ部Ｃの下位部分に形成されている。このため、図１６に見られるように、横Ｕ字形の挟持片１２ｃと係合部２ｋが噛み合っている位置が、面板部のほぼ延長線上なので、負圧がかかった時に、屋根板の面板部２ａが持ち上がる際の変位量を低く押さえることができるという利点もある。
【００４４】
（実施の形態４）本発明の第四実施例について図１７から図１９に基づき説明する。図１７は屋根板取り付け金具１の分解斜視図、図１８と図１９は屋根板取り付け金具１の説明図である。
【００４５】
まず屋根板２について説明する。
この屋根板２は、金属製で、面板部２ａの両端に折り下げられているハゼ部分Ｄが形成されている。そのハゼ部分Ｄは、面板部２ａから円弧を描いて裏面に折り返された凸部２ｂが形成されており、さらに下方に折り下げられたのち、上方に折り曲げられて、溝部２ｆが形成されている。
【００４６】
次に屋根板取り付け金具１について説明すると、図１７に見られるように、屋根板取り付け金具１は、固定部材１１と可動部材１２と押し込み部材１３を組み合わせて形成されている。
【００４７】
固定部材１１の左右端には、固定面１１ａが形成されており、下地Ｂに固定できるようになっている。そして、固定面１１ａの内側の端から立ち上がった後、内側方向へ略直角に折り曲げられ、さらにやや傾斜して折り下げられて、下向きに開口する略コの字形の脚部１１ｂが形成されている。左右の脚部１１ｂは受け面１１ｃによって連結されており、この受け面１１ｃは、固定面１１ａよりもやや高い位置に形成されている。
そして受け面１１ｃの中央に支柱１１ｄが設けられている。本実施例においても前述までの実施例と同様に、この支柱１１ｄはカシメボルトで形成され、受け面１１ｃに固定されている。
支柱１１ｄは受け面１１ｃに固定されていればよいので、カシメボルトのほかに、溶接等の手段も考えられる。
【００４８】
可動部材１２は、同じ部材を二つ向き合わせて組み合わせている。
底面１２ａの外側の端から外側にやや傾斜して立ち上げられて立面１２ｂが形成されており、立面１２ｂの上端が内側方向へ略直角に折り曲げられて挟持片１２ｃが形成されている。
底面１２ａの内側の端からは、アーム１２ｄが２本延出しており、アーム１２ｄとアーム１２ｄの間は、少なくとも、相対して組み合わせる可動部材１２のアーム１２ｄが入る幅を有している。
アーム１２ｄの形状は板状で、底面１２ａから水平に延び出たのち、斜め上方に折り曲げられた爪部１２ｅを有している。
【００４９】
固定部材１１の脚部１１ｂの一面（内側に位置している方の面）が傾斜して形成されており、可動部材１２の立面１２ｂも傾斜して形成されているが、これらの傾斜は、同じ角度に設定してある。
【００５０】
押し込み部材１３は、長方形の上面１３ａの左右辺から折り下げた後、斜め上方に折り曲げられて、略Ｖ字形の押圧部１３ｂが形成されており、さらに押圧部１３ｂの先端が下方に折り曲げられて押さえ片１３ｅが形成されている。
また、上面１３ａの残りの二辺からは立ち上げられて、キャップをはめることができる形状のキャップ止め１３ｃが形成されている。
上面１３ａには支柱１１ｄを通すことができる穴があけられており、そこにストッパー１３ｄが設けられているが、本実施例でもカシメナットがストッパー１３ｄとして取り付けられている。
【００５１】
このように構成された固定部材１１と可動部材１２と押し込み部材１３を組み合わせるが、まず、固定部材１１の受け面１１ｃに可動部材１２を向き合わせて載せる。
このとき、アーム１２ｄとアーム１２ｄの間に相対する可動部材１２のアーム１２ｄが位置するように向き合わせる。
可動部材１２の立面１２ｂは、固定部材１１の脚部１１ｂに接するように位置させるとよい。固定部材１１の脚部１１ｂの一面と可動部材１２の立面１２ｂは傾斜して形成されているが、これらの傾斜は、同じ角度に設定してあるので、立面１２ｂを固定部材１１の脚部１１ｂに接するように位置させることで、安定して載置することができる。
アーム１２ｄの長さは、支柱１１ｄよりも先まで伸びており、受け面１１ｃの上に可動部材１２を載せたときに、支柱１１ｄを中心にアーム１２ｄが互い違いに組み合わせられる。
その後、押し込み部材１３の上面１３ａに設けられた穴に固定部材１１の支柱１１ｄを通し、ストッパー１３ｄで軽く止める。この実施例においても、支柱１１ｄはカシメボルトで、ストッパー１３ｄはカシメナットで形成されているので、カシメボルトの上部にカシメナットを差し込んで、軽くナットを締めることで、可動部材１２の上から押し込み部材１３を取り付けることができる。
【００５２】
このように組み合わせられた状態を表しているのが、図１８である。左右から伸びてきているアーム１２ｄが支柱１１ｄを中心に互い違いに位置し、左右の爪部１２ｅ間に、押し込み部材１３の押圧部１３ｂが軽く接するように載って固定されている。
この状態で、カシメナットで形成されているストッパー１３ｄを、カシメボルトで形成されている支柱１１ｄに、ボルト締めしていくと、押し込み部材１３が下がり、図１９に示された状態になる。
本実施例でも、このカシメナットで形成されているストッパー１３ｄと、カシメボルトで形成されている支柱１１ｄによって、スライド機構が構成されている。
【００５３】
このような構成の屋根板取り付け金具１を用いて屋根板２を取り付ける様子を以下に説明する。
図１８に見られるように、下地Ｂに樋部材Ａを配置し、樋部材Ａをまたいで屋根板取り付け金具１を配置するが、固定部材１１の脚部１１ｂ内に樋部材Ａの側壁が収まるように配置する。そして、止着具Ｓを用いて、固定面１１ａを下地Ｂに固定する。この止着具Ｓは、下地の材質に応じたものを使用することが望ましく、木下地の場合は釘やビス等、鉄骨の場合はタッピンネジ等、コンクリート下地の場合はアンカー等が考えられる。
その後、屋根板取り付け金具１の可動部材１２の挟持片１２ｃと押し込み部材１３の押さえ片１３ｅの間に、屋根板２のハゼ部分Ｄを差し込みながら、屋根板２を配置する。
屋根板取り付け金具１の左右から屋根板２を配置したら、カシメナットで形成されているストッパー１３ｄを、カシメボルトで形成されている支柱１１ｄに、ボルト締めしていくことで、押し込み部材１３を下方にスライドさせる。
そうすると、押し込み部材１３の押圧部１３ｂが可動部材１２の爪部１２ｅに沿いながら下がるため、爪部１２ｅが押圧部１３ｂに押され、可動部材１２が移動する。つまり、爪部１２ｅが外側方向に移動し、同時に挟持片１２ｃは内側に移動する。
左右の可動部材１２がそのように移動するため、屋根板２の凸部２ｂに可動部材１２の挟持片１２ｃが、屋根板２の溝部２ｆの外側に可動部材１２の爪部１２ｅが、それぞれ押しつけられ、また、押し込み部材１３の押さえ片１３ｅが屋根板２の溝部２ｆに差し込まれる。
押し込み部材１３を押し込むと、図１９のように、屋根板２のハゼ部分Ｄの凸部２ｂが相対する挟持片１２ｃで挟まれ、また、屋根板２の溝部２ｆの外側に可動部材１２の爪部１２ｅが押しつけられ、押し込み部材１３の押さえ片１３ｅが屋根板２の溝部２ｆを上から押さえ込む。このように屋根板２のハゼ部分Ｄを屋根板取り付け金具１にて挟み込んで、屋根板２が固定される。
その後キャップＫをキャップ止め１３ｃにはめることで取り付ける。
【００５４】
このように本発明にかかる第四実施例は、屋根板のハゼ部分Ｄに形成された溝部２ｆや凸部２ｂに合わせて、可動部材の爪部と挟持片および押し込み部材１３の押圧部１３ｂの押さえ片１３ｅの形状や位置を設計することで、屋根板２のハゼ部分Ｄを屋根板取り付け金具１にて挟み込んで固定することができるものである。
特に、押し込み部材１３の押さえ片１３ｅが屋根板２の溝部２ｆを上から押さえ込んでいるため、負圧によって屋根板２が持ち上げられても、屋根板２の溝部２ｆが押さえ片１３ｅからはずれる可能性が極めて低いものである。
また、可動部材１２の立面１２ｂが傾斜して形成されているので、押し込み部材１３を下方にスライドさせると、立面１２ｂが屋根板２のハゼ部分Ｄを押圧して、ハゼ部分Ｄは立面１２ｂに沿って傾斜する。
押し込み部材１３がすっかり押し込まれると、ハゼ部分Ｄは立面１２ｂによって傾斜させられ、その先端の溝部２ｆが押さえ片１３ｅにて上から押さえ込まれるので、一層強固に固定される。
【００５５】
（他の実施の形態）請求項１〜４記載のいずれの屋根板取り付け金具も、スライド機構によって、押し込み部材を下方にスライドさせることで、押し込み部材の押圧部が可動部材の爪部間に押し込められ、押圧部が爪部を押すことで可動部材が移動させられるという構成を有しているが、押し込み部材１３の押圧部１３ｂと可動部材１２の爪部１２ｅは、様々な形状を考え得る。
その例として、図２０に三種類例示する。
図２０（イ）に示した押圧部１３ｂは、上面１３ａの左右辺から斜め内側下方に折り曲げられて形成されている。
また、図２０（ロ）に示した押圧部１３ｂは、上面１３ａの左右辺から裏側に円を描いて折り曲げられて形成されている。
このような押圧部１３ｂでも、押し込み部材を下方にスライドさせることで、押し込み部材の押圧部が可動部材の爪部間に押し込められ、押圧部が爪部を押すことで可動部材が移動させられるものである。
さらに図２０（ハ）に示した可動部材１２の爪部１２ｅは、アームから直角に折り曲げられ、その後傾斜して折曲されている。
これらの各種形状は、さらに考え得るものであり、本発明は、押し込み部材を下方にスライドさせることで、押し込み部材の押圧部が可動部材の爪部間に押し込められ、押圧部が爪部を押すことで可動部材が移動させられる構成であれば、形状を限定するものではない。
【００５６】
【発明の効果】
本発明請求項１に記載した屋根板取り付け金具は、左右から屋根板を配置し、押し込み部材をスライド機構によって下方にスライドさせて押し込むと、押し込み部材の押圧部が可動部材の爪部に沿いながら下がるため、爪部が押圧部に押されて、可動部材が移動させられる。
左右の可動部材がそのように移動するため、屋根板が挟持片と爪部で挟まれて取り付けられるものであり、屋根板のハゼ部分に形成された凹部や凸部に合わせて、可動部材の爪部と挟持片の形状や位置を設計することで、様々なタイプの屋根板に用いることができる屋根板取り付け金具である。
【００５７】
また、本発明請求項２に記載した屋根板取り付け金具は、立てハゼ式屋根に用いる屋根板を裏返して使用して、フラットタイプの屋根を形成するときに用いることができるものである。この屋根板取り付け金具を用意しておくことで、立てハゼ式屋根に使う屋根板を、フラットタイプの屋根を葺くときにも用いることができるという利点がある。
【００５８】
本発明請求項３に記載した屋根板取り付け金具は、挟持片が底面の一端から上側へ折り返して形成され、屋根板の係合部は面板部の端部に形成されている。このため、挟持片と係合部が噛み合っている位置が、面板部のほぼ延長線上なので、負圧がかかった時に、屋根板の面板部が持ち上がる際の変位量を低く押さえることができるという利点がある。
【００５９】
さらに本発明請求項４にかかる屋根板取り付け金具は、左右から屋根板を配置し、挟持片と爪部との間に屋根板のハゼ部分を差し込み、押し込み部材をスライド機構によって下方にスライドさせて押し込むと、押し込み部材の押圧部が可動部材の爪部に沿いながら下がるため、爪部が押圧部に押されて、可動部材が移動させられる。
左右の可動部材がそのように移動するため、相対する可動部材の挟持片が、屋根板の凸部を挟み込み、また、屋根板の溝部の外側に可動部材の爪部が押しつけられ、押し込み部材の押さえ片が屋根板の溝部を上から押さえ込んで、屋根板を取り付けられるものである。
屋根板のハゼ部分に形成された溝部や凸部に合わせて、可動部材の爪部と挟持片および押し込み部材の押圧部の押さえ片の形状や位置を設計することで、屋根板のハゼ部分を屋根板取り付け金具にて挟み込んで固定することができるものである。
特に、押し込み部材の押さえ片が屋根板の溝部を上から押さえ込んでいるため、負圧によって屋根板が持ち上げられても、屋根板の溝部が押さえ片からはずれる可能性が極めて低いものである。
【００６０】
ところで、図２４に示した屋根板取り付け金具は、固定部材と可動部材を組み合わせているという点で、本発明にかかる屋根板取り付け金具と類似している。
しかし、本発明は図２４に開示されている屋根板取り付け金具とは、構成が異なり、その結果、図２４に開示されている屋根板取り付け金具では達成できない作用効果を有している。その点について説明する。
【００６１】
図２４に開示されている屋根板取り付け金具は、屋根板の端部を挟持片１２ｃ上端の凸部で押さえており、キャップＫは爪部１２ｅの凸部に引っかかって固定されている。
負圧の作用で屋根板の面板部が膨らむと、Ｖ字状端部３２が係止している挟持片１２ｃが、固定部材の脚部１１ｂの方に傾斜させられる。挟持片１２ｃが傾斜させられると屋根板は一層大きく膨らみ、挟持片１２ｃはさらに傾斜させられる。
このように、重要な係止部分となる挟持片１２ｃを変形させる力がかかるが、これを防ぐ手段は何ら開示されていない。また、挟持片１２ｃを支える他の構成もない。
このため、負圧がかかった時に、挟持片１２ｃが傾斜させられて、Ｖ字状端部３２との係止部分が、はずれやすいものとなってしまう。
【００６２】
これに対し、本発明請求項１〜３に記載した屋根板取り付け金具は、請求項に記載したとおりの構成ゆえに、屋根板が可動部材の挟持片と爪部で挟まれて取り付けられ、その爪部を押し込み部材の押圧部が押圧している。
屋根板を挟み込んでいる爪部を別部材である押し込み部材の押圧部が押圧しているため、屋根板にかかる負圧の作用で爪部を傾斜させる力がかかったとき、これを押圧部が押圧するため、爪部を傾斜させる力に対し抵抗する構成となっている。
また、屋根板端部を向かい合う挟持片と爪部とで挟み込んでいるため、負圧がかかった時に、屋根板の面板部が持ち上がる際の変位量を低く押さえることができる。
このように、本発明請求項１〜３に記載した屋根板取り付け金具は、図２４に開示されている屋根板取り付け金具とは構成が異なるため、図２４に開示されている屋根板取り付け金具では予期できない作用効果を達成するものである。
【００６３】
また、本発明請求項４に記載した屋根板取り付け金具は、請求項に記載したとおりの構成ゆえに、相対する可動部材の挟持片が、屋根板の凸部を挟み込み、押し込み部材の押さえ片が屋根板の溝部を上から押さえ込んで、屋根板を取り付けるものである。
図２４に示した屋根板取り付け金具と同様に、負圧の作用で屋根板の面板部が膨らむと、屋根板の凸部が係止している挟持片が、固定部材の脚部の方に傾斜させられる。
しかし、屋根板面板部から下方に折り下げられた後、上方に折り曲げられて形成された溝部を、押圧部の下方に折り曲げられて形成された押さえ片が上から押さえ込んでいるため、挟持片が傾斜しても、屋根板は押し込み部材の押さえ片によって固定されており、はずれにくいものである。
このように、本発明請求項４に記載した屋根板取り付け金具も、図２４に開示されている屋根板取り付け金具とは構成が異なるため、図２４に開示されている屋根板取り付け金具では予期できない作用効果を達成するものである。
【図面の簡単な説明】
【図１】本発明第一実施例の斜視図である。
【図２】本発明第一実施例の斜視図である。
【図３】本発明第一実施例の分解斜視図である。
【図４】本発明第一実施例の説明図である。
【図５】本発明第一実施例の説明図である。
【図６】本発明第一実施例に用いる屋根板を表す図である。
【図７】図６の屋根板を用いて立てハゼ式屋根を形成した説明図である。
【図８】本発明第二実施例の斜視図である。
【図９】本発明第二実施例の可動部材の斜視図である。
【図１０】本発明第二実施例の説明図である。
【図１１】本発明第二実施例の説明図である。
【図１２】本発明第三実施例の分解斜視図である。
【図１３】本発明第三実施例に用いる屋根板を表す図である。
【図１４】本発明第三実施例の説明図である。
【図１５】本発明第三実施例の説明図である。
【図１６】本発明第三施例の説明図である。
【図１７】本発明第四実施例の分解斜視図である。
【図１８】本発明第四実施例の説明図である。
【図１９】本発明第四実施例の説明図である。
【図２０】本発明の他の実施の形態を表す図である。
【図２１】従来の技術を表す図である。
【図２２】従来の技術を表す図である。
【図２３】従来の技術を表す図である。
【図２４】従来の技術を表す図である。
【符号の説明】
１      屋根板取り付け金具
１１    固定部材
１１ａ  固定面
１１ｂ  脚部
１１ｃ  受け面
１１ｄ  支柱
１２    可動部材
１２ａ  底面
１２ｂ  立面
１２ｃ  挟持片
１２ｄ  アーム
１２ｅ  爪部
１２ｆ  連結片
１３    押し込み部材
１３ａ  上面
１３ｂ  押圧部
１３ｃ  キャップ止め
１３ｄ  ストッパー
１３ｅ  押さえ片
２      屋根板
２ａ    面板部
２ｂ    凸部
２ｃ    凹部
２ｄ    立面部
２ｅ    折り返し部
２ｆ    溝部
２ｋ    係合部
Ａ      樋部材
Ｃ      立てハゼ部
Ｄ      ハゼ部分
Ｓ      止着具
Ｋ      キャップ
Ｔ      吊り子
【図１】
2004225369.tif 000003
【図２】
2004225369.tif 000004
【図３】
2004225369.tif 000005
【図４】
2004225369.tif 000006
【図５】
2004225369.tif 000007
【図６】
2004225369.tif 000008
【図７】
2004225369.tif 000009
【図８】
2004225369.tif 000010
【図９】
2004225369.tif 000011
【図１０】
2004225369.tif 000012
【図１１】
2004225369.tif 000013
【図１２】
2004225369.tif 000014
【図１３】
2004225369.tif 000015
【図１４】
2004225369.tif 000016
【図１５】
2004225369.tif 000017
【図１６】
2004225369.tif 000018
【図１７】
2004225369.tif 000019
【図１８】
2004225369.tif 000020
【図１９】
2004225369.tif 000021
【図２０】
2004225369.tif 000022
【図２１】
2004225369.tif 000023
【図２２】
2004225369.tif 000024
【図２３】
2004225369.tif 000025
【図２４】
2004225369.tif 000026